(57)【要約】      （修正有）【課題】踏切工事の簡易化や安全性の向上を図ることを可能にする接続箱及び踏切警報機を提供する。【解決手段】接続箱１００は、踏切警報機の警報機柱に取り付けられて使用されるものであって、踏切器具箱に接続された信号線（電線）と、踏切警報機が備える警報灯やスピーカ等に接続される信号線（電線）とを、電気的に接続するためのものである。接続箱は、更に、携帯型の音声呼出電話機を接続できるように構成されており、接続箱の正面上側に設けられた上扉１０１内に、携帯型音声呼出電話機を接続するための一対の電話端子１２１、１２２と、回線切替スイッチ１３０とを備えている。【選択図】図３
0003226284.tif 000002
【実用新案登録請求の範囲】
【請求項１】
踏切警報機に取り付けられて使用される接続箱であって、
音声呼出電話回線を接続するための回線接続用端子と、
音声呼出電話機を接続するための電話端子と
を備え、
前記回線接続用端子と前記電話端子とが電気的に接続されている
ことを特徴とする接続箱。
【請求項２】
第一の音声呼出電話回線を接続するための第一の回線接続用端子と、
第二の音声呼出電話回線を接続するための第二の回線接続用端子と
を備えることを特徴とする請求項１に記載の接続箱。
【請求項３】
前記電話端子に接続する音声呼出電話回線を切り替える切替部を
更に備えることを特徴とする請求項２に記載の接続箱。
【請求項４】
前記電話端子は、専用の扉内に設けられている
ことを特徴とする請求項１〜３のいずれか一項に記載の接続箱。
【請求項５】
請求項１〜４のいずれか一項に記載の接続箱が取り付けられている
ことを特徴とする踏切警報機。
【考案の詳細な説明】
【技術分野】
【０００１】
本考案は、踏切に設置される踏切警報機に関し、特に、踏切警報機に取り付けられて使用される接続箱に関する。
【背景技術】
【０００２】
鉄道と道路が平面交差する踏切（道）には、通常、踏切警報機や踏切遮断機等の踏切保安装置が設置されている。このような踏切保安装置が設置された踏切において信号工事等を行う場合、近隣の踏切に配置された踏切監視員等との連絡手段が必要となることがあるが、このような連絡手段の一つとして、音声呼出電話機（テレスピ）が利用されている。
【０００３】
踏切の近くに設置された踏切器具箱には、音声呼出電話用の回線が引き込まれており、従来は、踏切器具箱内に設けられた音声呼出電話用の電話端子に、携帯型の音声呼出電話機を接続することで、近隣の踏切に配置された踏切監視員等との通話を行っていた。
【０００４】
しかしながら、踏切器具箱を開けての作業には、一定の資格を有する者の立ち会いが必要となるため、例えば、携帯型の音声呼出電話機を接続するためだけであっても、施工打合せ等の事前準備が必要となり、非常に手間がかかっていた。
【０００５】
また、踏切器具箱内に設けられた音声呼出電話用の電話端子と、携帯型音声呼出電話機とを接続する電話線は、踏切器具箱から踏切（携帯型音声呼出電話機の使用場所）までの間の一定の距離（例えば、５〜１０ｍ）を地上を這わせることになるため、なんらかの理由で電話線に外力が加わることにより、断線するおそれがあった。
【０００６】
なお、特開２００９−１５６０８号公報には、鉄道信号の切換工事においては、切換拠点と切換現場との連絡手段として無線機や有線電話（テレスピ）を使用し、線路閉鎖着手連絡、作業着手指示、作業開始終了報告、線路閉鎖解除などの連絡や切換現場の工事進捗状況の把握等を行っていることが記載されている。
【先行技術文献】
【特許文献】
【０００７】
【特許文献１】特開２００９−１５６０８号公報（段落０００４）
【考案の概要】
【考案が解決しようとする課題】
【０００８】
本考案の目的は、踏切工事の簡易化や安全性の向上を図ることを可能にすることにある。
【課題を解決するための手段】
【０００９】
本考案に係る接続箱は、踏切警報機に取り付けられて使用される接続箱であって、音声呼出電話回線を接続するための回線接続用端子と、音声呼出電話機を接続するための電話端子とを備え、前記回線接続用端子と前記電話端子とが電気的に接続されていることを特徴とする。
【００１０】
この場合において、第一の音声呼出電話回線を接続するための第一の回線接続用端子と、第二の音声呼出電話回線を接続するための第二の回線接続用端子とを備えるようにしてもよい。
【００１１】
更に、この場合、前記電話端子に接続する音声呼出電話回線を切り替える切替部を更に備えるようにしてもよい。
【００１２】
以上の場合において、前記電話端子は、専用の扉内に設けられているようにしてもよい。
【００１３】
本考案に係る踏切警報機は、前記接続箱が取り付けられていることを特徴とする。
【考案の効果】
【００１４】
本考案によれば、踏切工事の簡易化や安全性の向上を図ることが可能となる。
【図面の簡単な説明】
【００１５】
【図１】本考案による接続箱の構成を説明するための正面図である。
【図２】本考案による接続箱の構成を説明するための側面図である。
【図３】本考案による接続箱の上扉を開けた状態を示す正面図である。
【図４】本考案による接続箱内の結線状態を説明するための図である。
【図５】本考案による接続箱の使用状態を示す図である。
【考案を実施するための形態】
【００１６】
以下、本考案の実施の形態について、図面を参照しつつ詳細に説明する。
【００１７】
図１〜図３は、本考案による接続箱の構成を説明するための図である。図１は正面図を示し、図２は側面図を示す。また、図３は、接続箱の正面上側に設けられた扉（上扉）を開けた状態を示している。
【００１８】
本考案による接続箱１００は、踏切警報機の警報機柱に取り付けられて使用されるものであって、踏切器具箱に接続された信号線（電線）と、踏切警報機が備える警報灯やスピーカ等に接続される信号線（電線）とを、電気的に接続するためのものである。接続箱１００を利用することにより、踏切器具箱からの信号線と、踏切警報機が備える警報灯やスピーカ等に接続される信号線との接続作業が容易に行えるようになる。本実施形態においては、図２に示すように、接続箱１００は、上端側及び下端側に配置された一対のＵボルト１０６，１０７によって、警報機柱２１０に固定される。
【００１９】
接続箱１００は、外部から引き込まれた電線間での電気的な接続を確立するため、内部に端子台１１０を備えている。本実施形態においては、端子台１１０は、電気的に接続された４つの端子を２０組備えており、最大２０本の電線の中継・分岐が可能となっている。端子台１１０への電線の接続作業は、接続箱１００の正面下側に設けられた扉（下扉）１０２を開けた状態で行われる。
【００２０】
接続箱１００は、底面側に一つの配線口１０３が設けられると共に、背面側に二つの配線口１０４，１０５が設けられている。なお、図１〜図３においては、底面側に設けられた配線口１０３については、ふさぎ板１０３１でふさがれた状態になっている。
【００２１】
底面側に設けられた配線口１０３は、例えば、踏切器具箱から延びる電線の引き込みに利用され、背面に設けられた二つの配線口１０４，１０５は、例えば、踏切警報機が備える警報灯やスピーカに接続される電線の引き込みに利用される。更に、本実施形態においては、接続箱１００の側面に、中空のアングルコネクタ１０８が取り付けられており、例えば、踏切警報機が列車進行方向指示器を備える場合、アングルコネクタ１０８を介して、列車進行方向指示器に接続される電線の引き込みが行われる。
【００２２】
本考案による接続箱１００は、更に、携帯型の音声呼出電話機を接続できるように構成されており、図３に示すように、接続箱１００の正面上側に設けられた上扉１０１内に、携帯型音声呼出電話機を接続するための一対の電話端子１２１，１２２と、回線切替スイッチ１３０とを備えている。なお、上扉１０１は、電話端子１２１，１２２及び回線切替スイッチ１３０専用の扉となっており、下扉１０２を開けることなく、携帯型音声呼出電話機を接続・利用することが可能となっている。
【００２３】
電話端子１２１，１２２は、携帯型音声呼出電話機を一対の接続ケーブル（電話線）を介して接続するための端子である。
【００２４】
回線切替スイッチ１３０は、携帯型音声呼出電話機で使用する回線を切り替えるためのスイッチである。接続箱１００は、音声呼出電話回線を２系統入力可能なように構成されており、回線切替スイッチ１３０によって、いずれの系統を使用するのかを選択する。本実施形態においては、回線切替スイッチ１３０は、トグルスイッチによって構成されており、レバー１３１を操作することで、「信号」回線（第一の回線）及び「運転」回線（第二の回線）のいずれか一方を選択することができる。
【００２５】
図４は、接続箱１００内の結線状態を説明するための図である。
【００２６】
同図に示すように、端子台１１０の一部の端子１１１〜１１４と、電話端子１２１，１２２とが、回線切替スイッチ１３０を介して、電気的に接続されている。
【００２７】
端子１１１〜１１４は、外部から引き込まれる２系統の電話線１１〜１４が接続される端子（回線接続用端子）である。すなわち、端子１１１，１１２には、一方の系統（「信号」回線）の電話線１１，１２が接続され、端子１１３，１１４には、他方の系統（「運転」回線）の電話線１３，１４が接続される。なお、物理的には、電話線１１〜１４が接続される端子は、回線切替スイッチ１３０が接続された端子と端子台１１０内で電気的に接続された（同じ組に属する）他の端子となる。
【００２８】
同図に示すように、回線切替スイッチ１３０は、連動する２つのｃ接点を備えており、レバー１３１を一方側（図３における「信号」側）に倒すと、端子１１１と電話端子１２１とが電気的に接続されると共に、端子１１２と電話端子１２２とが電気的に接続され、レバー１３１を他方側（図３における「運転」側）に倒すと、端子１１３と電話端子１２１とが電気的に接続されると共に、端子１１４と電話端子１２２とが電気的に接続されることになる。
【００２９】
図５は、接続箱１００の使用状態を示す図である。同図（ａ）は正面図を示し、同図（ｂ）は側面図を示す。
【００３０】
同図に示すように、接続箱１００は、踏切警報機２００の警報機柱２１０に取り付けられて使用される。同図に示した例においては、接続箱１００の底面に設けられた配線口１０３に電線管５００が接続されており、踏切器具箱から延びる電線群は、電線管５００内を通って、接続箱１００内に引き込まれることになる。
【００３１】
踏切器具箱から延びる電線群は、踏切器具箱から、踏切警報機２００の設置場所までは、地中を通るように敷設されている。すなわち、音声呼出電話回線用の電線についても、踏切警報機２００の動作を制御するための電線と共に、踏切器具箱から、踏切警報機２００の設置場所までは、地中を通るように敷設されている。
【００３２】
接続箱１００内に引き込まれた音声呼出電話回線用の電線については、前述したように、端子台１１０の端子１１１〜１１４に接続される。また、接続箱１００内に引き込まれた踏切警報機２００の動作を制御するための電線は、端子台１１０の他の端子に接続されて、踏切警報機２００が備えるスピーカ２２０及び警報灯２３１，２３２と接続される電線と、端子台１１０を介して、電気的に接続されることになる。なお、スピーカ２２０及び警報灯２３１，２３２と接続される電線は、警報機柱２１０の側面に形成された孔及び接続箱１００の背面側に設けられた配線口１０４，１０５を介して、警報機柱２１０内から接続箱１００内に引き込まれることになる。
【００３３】
以上、詳細に説明したように、上述した接続箱１００においては、上扉１０１内に、携帯型音声呼出電話機を接続するための電話端子２１１，２１２を備えているので、接続箱１００の上扉１０１を開けるだけで、携帯型音声呼出電話機を接続することができる。従って、踏切監視員のみで携帯型音声呼出電話機を接続することが可能となり、事前準備の手間を削減することができ、踏切工事の簡易化が図れる。
【００３４】
また、上述した実施形態においては、音声呼出電話回線用の電線についても、踏切警報機２００の動作を制御するための電線と共に、踏切器具箱から踏切警報機２００の設置場所までは、地中を通るようにしているので、音声呼出電話回線用の電線が断線するリスクを低減することが可能となる。
【００３５】
以上、本考案の実施形態について説明してきたが、当然のことながら、本考案の実施形態は上記のものに限られない。例えば、上述した実施形態においては、音声呼出電話回線を２系統入力可能なように構成していたが、音声呼出電話回線を１系統のみ入力可能なように構成することも考えられる。この場合、回線接続用端子と電話端子とを、直接電気的に接続することも考えられるし、スイッチを介して電気的に接続することも考えられる。また、音声呼出電話回線を３系統以上入力可能なように構成することも考えられる。
【符号の説明】
【００３６】
１００    接続箱
１０１    上扉
１０２    下扉
１０３〜１０５    配線口
１０３１    ふさぎ板
１０６，１０７    Ｕボルト
１０８    アングルコネクタ
１１０    端子台
１１１〜１１４    端子
１２１，１２２    電話端子
１３０    回線切替スイッチ
１３１    レバー
２００    踏切警報機
２１０    警報機柱
２２０    スピーカ
２３１，２３２    警報灯
５００    電線管
【図１】
0003226284.tif 000003
【図２】
0003226284.tif 000004
【図３】
0003226284.tif 000005
【図４】
0003226284.tif 000006
【図５】
0003226284.tif 000007